(57)【要約】【課題】利便性良好にチャンネルマップに新たなチャンネルを追加する。【解決手段】デジタル放送受信機のＭＰＵ１１は、受信部１４を介して受信可能なサービスに対応するチャンネル番号情報を取得するチャンネル取得部１１２と、取得されたチャンネル番号情報が、チャンネル記憶部１２２に格納された複数のチャンネル番号情報の内、いずれか１のチャンネル番号情報と一致するか否かを判定する識別情報判定部１１３と、一致しないと判定された場合に、リモコン２を介してユーザからの操作入力を受け付けて、受け付けられた操作入力に基づいて、取得されたチャンネル番号情報を、チャンネル記憶部１２２に格納するか否かを判定する格納要否判定部１１６と、格納すると判定された場合に、取得されたチャンネル番号情報を、チャンネル記憶部１２２に記録するチャンネル記録部１１７と、を備えている。【選択図】図２
2009118307.tif 000002
【特許請求の範囲】
【請求項１】
デジタル方式のテレビジョン放送を受信し、受信した映像情報をモニタに表示可能に接続されたデジタル放送受信装置であって、
予め設定された周波数帯域のデジタル方式のテレビジョン放送を受信する受信手段と、
前記受信手段を介して受信可能な複数のサービスをそれぞれ識別する情報である複数のチャンネル識別情報を、それぞれ、前記サービスに対応する周波数帯域情報と対応付けてチャンネルリストとして予め格納するチャンネル記憶手段と、
予め設定された所定時間毎に、前記受信手段を介して受信可能なサービスに対応するチャンネル識別情報を取得するチャンネル取得手段と、
前記チャンネル取得手段によって取得されたチャンネル識別情報が、前記チャンネル記憶手段に格納された複数のチャンネル識別情報の内、いずれか１のチャンネル識別情報と一致するか否かを判定する識別情報判定手段と、
前記識別情報判定手段によって一致しないと判定された場合に、外部からの操作入力を受け付けて、受け付けられた操作入力に基づいて、前記チャンネル取得手段によって取得されたチャンネル識別情報を、前記チャンネル記憶手段に格納するか否かを判定する格納要否判定手段と、
前記格納要否判定手段によって格納すると判定された場合に、前記チャンネル取得手段によって取得されたチャンネル識別情報を、前記チャンネル記憶手段に記録するチャンネル記録手段と、
を備えることを特徴とするデジタル放送受信装置。
【請求項２】
外部からの操作入力を受け付けて、受け付けられた操作入力に基づいて、受信可能なサービスに対応するチャンネル識別情報を取得する日時を設定する日時設定手段を備え、
前記チャンネル取得手段は、前記日時設定手段によって設定された日時に、受信可能なサービスに対応するチャンネル識別情報を取得することを特徴とする請求項１に記載のデジタル放送受信装置。
【請求項３】
前記識別情報判定手段によって一致しないと判定された場合に、新たなチャンネル識別情報が取得された旨のメッセージを前記モニタに表示する表示制御手段を備えることを特徴とする請求項１又は請求項２に記載のデジタル放送受信装置。
【請求項４】
前記受信手段を介して、電子番組表情報を取得する番組表取得手段を備え、
前記表示制御手段は、前記識別情報判定手段によって一致しないと判定された場合に、外部からの操作入力を受け付けて、受け付けられた操作入力に基づいて、前記番組表取得手段を介して、前記チャンネル取得手段によって取得されたチャンネル識別情報に対応する電子番組表情報を取得させ、取得された電子番組表情報を前記モニタに表示することを特徴とする請求項３に記載のデジタル放送受信装置。
【発明の詳細な説明】
【技術分野】
【０００１】
本発明は、デジタル方式のテレビジョン放送を受信し、受信した映像情報をモニタに表示可能に接続されたデジタル放送受信装置に関する。
【背景技術】
【０００２】
テレビジョン放送を受信し、外部から視認可能にモニタに出力可能に構成された放送受信装置では、受信周波数を、例えば低い方から高い方へとスキャンしていき、テレビジョン放送の受信ができたチャンネルを、いわゆるチャンネルマップとして内部メモリに登録するチャンネルプリセット機能を有している。
【０００３】
上記チャンネルプリセットを効率的に行うために、種々の装置、方法等が提案されている。例えば、選局可能なチャンネルとしてチャンネル情報テーブルに登録されているチャンネルの選局をスキップし、選局できないチャンネルとして登録されているチャンネルのみ、選局を順次指示して選局可能なチャンネルを検出し、選局可能なチャンネルとして新たに検出されたチャンネルについて、新たな登録チャンネル情報をチャンネル情報テーブルに追加するテレビジョン放送受信装置が開示されている（特許文献１参照）。
【特許文献１】特開２００６−４１７５１号公報
【発明の開示】
【発明が解決しようとする課題】
【０００４】
しかしながら、上記テレビジョン放送受信装置では、選局可能なチャンネルとして新たに検出されたチャンネルを効率的に追加することができるものの、ユーザにとって不要な（＝視聴を所望しない）サービスが放送されるチャンネルが追加される虞がある。例えば、幼い子供の居る家庭においては、親等のユーザは、暴力的なシーン、卑猥なシーン等の幼い子供にとって有害なサービスが放送されるチャンネルを追加したくない場合がある。
【０００５】
本発明は、上記課題に鑑みてなされたものであって、利便性良好にチャンネルマップに新たなチャンネルを追加することの可能なデジタル放送受信装置を提供することを目的としている。
【課題を解決するための手段】
【０００６】
上記目的を達成するために請求項１に記載のデジタル放送受信装置は、デジタル方式のテレビジョン放送を受信し、受信した映像情報をモニタに表示可能に接続されたデジタル放送受信装置であって、予め設定された周波数帯域のデジタル方式のテレビジョン放送を受信する受信手段と、前記受信手段を介して受信可能な複数のサービスをそれぞれ識別する情報である複数のチャンネル識別情報を、それぞれ、前記サービスに対応する周波数帯域情報と対応付けてチャンネルリストとして予め格納するチャンネル記憶手段と、予め設定された所定時間毎に、前記受信手段を介して受信可能なサービスに対応するチャンネル識別情報を取得するチャンネル取得手段と、前記チャンネル取得手段によって取得されたチャンネル識別情報が、前記チャンネル記憶手段に格納された複数のチャンネル識別情報の内、いずれか１のチャンネル識別情報と一致するか否かを判定する識別情報判定手段と、前記識別情報判定手段によって一致しないと判定された場合に、外部からの操作入力を受け付けて、受け付けられた操作入力に基づいて、前記チャンネル取得手段によって取得されたチャンネル識別情報を、前記チャンネル記憶手段に格納するか否かを判定する格納要否判定手段と、前記格納要否判定手段によって格納すると判定された場合に、前記チャンネル取得手段によって取得されたチャンネル識別情報を、前記チャンネル記憶手段に記録するチャンネル記録手段と、を備えることを特徴としている。
【０００７】
請求項２に記載のデジタル放送受信装置は、請求項１に記載のデジタル放送受信装置であって、外部からの操作入力を受け付けて、受け付けられた操作入力に基づいて、受信可能なサービスに対応するチャンネル識別情報を取得する日時を設定する日時設定手段を備え、前記チャンネル取得手段が、前記日時設定手段によって設定された日時に、受信可能なサービスに対応するチャンネル識別情報を取得することを特徴としている。
【０００８】
請求項３に記載のデジタル放送受信装置は、請求項１又は請求項２に記載のデジタル放送受信装置であって、前記識別情報判定手段によって一致しないと判定された場合に、新たなチャンネル識別情報が取得された旨のメッセージを前記モニタに表示する表示制御手段を備えることを特徴としている。
【０００９】
請求項４に記載のデジタル放送受信装置は、請求項３に記載のデジタル放送受信装置であって、前記受信手段を介して、電子番組表情報を取得する番組表取得手段を備え、前記表示制御手段が、前記識別情報判定手段によって一致しないと判定された場合に、外部からの操作入力を受け付けて、受け付けられた操作入力に基づいて、前記番組表取得手段を介して、前記チャンネル取得手段によって取得されたチャンネル識別情報に対応する電子番組表情報を取得させ、取得された電子番組表情報を前記モニタに表示することを特徴としている。
【発明の効果】
【００１０】
請求項１に記載のデジタル放送受信装置によれば、予め設定された周波数帯域のデジタル方式のテレビジョン放送を受信する受信手段を介して、受信可能な複数のサービスをそれぞれ識別する情報である複数のチャンネル識別情報が、それぞれ、サービスに対応する周波数帯域情報と対応付けてチャンネルリストとしてチャンネル記憶手段に予め格納されており、予め設定された所定時間毎に、受信手段を介して受信可能なサービスに対応するチャンネル識別情報が取得される。そして、取得されたチャンネル識別情報が、チャンネル記憶手段に格納された複数のチャンネル識別情報の内、いずれか１のチャンネル識別情報と一致するか否かが判定され、一致しないと判定された場合に、外部からの操作入力が受け付けられて、受け付けられた操作入力に基づいて、取得されたチャンネル識別情報をチャンネル記憶手段に格納するか否かが判定され、格納すると判定された場合に、取得されたチャンネル識別情報が、チャンネル記憶手段に記録されるため、利便性良好にチャンネルマップに新たなチャンネルを追加することができる。
【００１１】
すなわち、受信可能なサービスに対応するチャンネル識別情報が取得され、取得されたチャンネル識別情報が、チャンネル記憶手段に格納された複数のチャンネル識別情報の内、全てのチャンネル識別情報と一致しないと判定された場合に、外部からの操作入力が受け付けられて、受け付けられた操作入力に基づいて、取得されたチャンネル識別情報をチャンネル記憶手段に格納するか否かが判定され、格納すると判定された場合に、取得されたチャンネル識別情報が、チャンネル記憶手段に記録されるため、取得されたチャンネル識別情報の追加をユーザが所望しない場合には、その旨の操作入力を行うことによって、取得されたチャンネル識別情報の追加が禁止されるので、利便性良好にチャンネルマップに新たなチャンネルを追加することができるのである。
【００１２】
請求項２に記載のデジタル放送受信装置によれば、外部からの操作入力が受け付けられて、受け付けられた操作入力に基づいて、受信可能なサービスに対応するチャンネル識別情報を取得する日時が設定され、設定された日時に、受信可能なサービスに対応するチャンネル識別情報が取得されるため、更に利便性良好にチャンネルマップに新たなチャンネルを追加することができる。
【００１３】
すなわち、外部からの操作入力が受け付けられて、受け付けられた操作入力に基づいて、受信可能なサービスに対応するチャンネル識別情報を取得する日時が設定され、設定された日時に、受信可能なサービスに対応するチャンネル識別情報が取得されるため、ユーザがサービスの視聴を行わない時間帯（例えば、深夜）に含まれる日時（例えば、午前３時）を、チャンネル識別情報を取得する日時として設定することによって、サービスの視聴が制限されることがないので、更に利便性良好にチャンネルマップに新たなチャンネルを追加することができるのである。
【００１４】
請求項３に記載のデジタル放送受信装置によれば、取得されたチャンネル識別情報が、チャンネル記憶手段に格納された複数のチャンネル識別情報の内、全てのチャンネル識別情報と一致しないと判定された場合に、新たなチャンネル識別情報が取得された旨のメッセージがモニタに表示されるため、ユーザは、新たなチャンネル識別情報が取得されたことを視認することができるので、更に利便性良好にチャンネルマップに新たなチャンネルを追加することができる。
【００１５】
請求項４に記載のデジタル放送受信装置によれば、取得されたチャンネル識別情報が、チャンネル記憶手段に格納された複数のチャンネル識別情報の内、全てのチャンネル識別情報と一致しないと判定された場合に、外部からの操作入力が受け付けられて、受け付けられた操作入力に基づいて、取得されたチャンネル識別情報に対応する電子番組表情報が取得され、取得された電子番組表情報がモニタに表示されるため、更に利便性良好にチャンネルマップに新たなチャンネルを追加することができる。
【００１６】
すなわち、取得されたチャンネル識別情報が、チャンネル記憶手段に格納された複数のチャンネル識別情報の内、全てのチャンネル識別情報と一致しないと判定された場合に、外部からの操作入力が受け付けられて、受け付けられた操作入力に基づいて、取得されたチャンネル識別情報に対応する電子番組表情報が取得され、取得された電子番組表情報がモニタに表示されるため、取得されたチャンネル識別情報に対応するチャンネルにおいて放送されるサービスの内容を、モニタに表示された電子番組表情報を介して視認することができるので、ユーザが、取得されたチャンネル識別情報を追加するか否かの判断を容易に行うことができ、更に利便性良好にチャンネルマップに新たなチャンネルを追加することができるのである。
【発明を実施するための最良の形態】
【００１７】
以下に本発明の実施形態を、図面を参照しながら説明する。図１は、本発明に係るデジタル放送受信機１の構成の一例を示すブロック図である。デジタル放送受信機１（デジタル放送受信装置に相当する）は、リモートコントローラ（＝Ｒｅｍｏｔｅｃｏｎｔｒｏｌｌｅｒ：以下、「リモコン」という）２と赤外線通信を介して通信可能に接続されている。
【００１８】
デジタル放送受信機１は、リモコン２を介してユーザからの操作入力を受け付けて、テレビジョン放送を受信し、ディスプレイ１７３及びスピーカ１５３に、それぞれ映像及び音声を出力するものであって、ＭＰＵ１１、ＲＡＭ１２、ＲＯＭ１３、受信部１４、音声出力部１５、ＭＰＥＧ２デコード部１６、画像出力部１７、及び、赤外線通信部１８を備えている。
【００１９】
ＭＰＵ（Ｍｉｃｒｏ  Ｐｒｏｃｅｓｓｉｎｇ  Ｕｎｉｔ）１１は、デジタル放送受信機１全体の動作を制御するものである。ＲＡＭ（Ｒａｎｄｏｍ  Ａｃｃｅｓｓ  Ｍｅｍｏｒｙ）１２は、音声情報、映像情報等の情報を読み書き自在に格納するものである。ＲＯＭ（Ｒｅａｄ  Ｏｎｌｙ  Ｍｅｍｏｒｙ）１３は、ＭＰＵ１１を動作させる制御プログラム等を格納するものである。
【００２０】
受信部１４（受信手段に相当する）は、テレビジョン放送を受信して復調するものであって、アンテナ部１４１、チューナ部１４２、Ａ／Ｄ変換部１４３、復調部１４４、及び、ＴＳデマルチプレクサ１４５を備えている。
【００２１】
アンテナ部１４１は、テレビジョン放送波を受信するものである。チューナ部１４２は、アンテナ部１４１で受信されたテレビジョン放送波から、予め設定されたチャンネルの放送を選局するものである。Ａ／Ｄ変換部１４３は、チューナ部１４２からの出力信号（＝アナログ信号）をデジタル情報に変換するものである。復調部１４４は、Ａ／Ｄ変換部１４３からの出力情報を復調するものである。ＴＳ（Ｔｒａｎｓｐｏｒｔ  Ｓｔｒｅａｍ）デマルチプレクサ１４５は、復調部１４４によって復調された出力情報を種別毎に分離して出力するものである。
【００２２】
音声出力部１５は、受信部１４によって受信されたテレビジョン放送に対応する音声を出力するものであって、Ｄ／Ａ変換部１５１、音声信号出力部１５２、及び、スピーカ１５３を備えている。Ｄ／Ａ変換部１５１は、ＴＳデマルチプレクサ１４５から出力された音声情報（＝デジタル情報）をアナログ信号に変換するものである。音声信号出力部１５２は、Ｄ／Ａ変換部１５１によってアナログ信号に変換された音声信号を出力するものである。スピーカ１５３は、音声信号出力部１５２から出力された音声信号に対応する音声を出力するものである。
【００２３】
ＭＰＥＧ（Ｍｏｔｉｏｎ  Ｐｉｃｔｕｒｅ  Ｅｘｐｅｒｔｓ  Ｇｒｏｕｐ）２デコード部１６は、ＴＳデマルチプレクサ１４５から出力された映像情報を圧縮前の映像情報に復号化するものである。
【００２４】
画像出力部１７は、ＭＰＥＧ２デコード部１６によって復号化された映像情報を出力するものであって、ＮＴＳＣエンコード部１７１、映像信号出力部１７２、及び、ディスプレイ１７３を備えている。ＮＴＳＣ（Ｎａｔｉｏｎａｌ  Ｔｅｌｅｖｉｓｉｏｎ  Ｓｔａｎｄａｒｄｓ  Ｃｏｍｍｉｔｔｅｅ）エンコード部１７１は、ＭＰＥＧ２デコード部１６によって復号化された映像情報をＮＴＳＣ方式のテレビジョン信号に変換するものである。映像信号出力部１７２は、ＮＴＳＣエンコード部１７１から出力されたＮＴＳＣ方式のテレビジョン信号をディスプレイ１７３に対して出力するものである。ディスプレイ１７３（モニタに相当する）は、ＬＣＤ（Ｌｉｑｕｉｄ  Ｃｒｙｓｔａｌ  Ｄｉｓｐｌａｙ）、ＰＤＰ（Ｐｌａｓｍａ  Ｄｉｓｐｌａｙ  Ｐａｎｅｌ）等からなり、映像信号出力部１７２から出力されたテレビジョン信号に対応する映像を表示するものである。
【００２５】
赤外線通信部１８は、リモコン２からの電源のＯＮ、ＯＦＦ操作、選局、デジタル放送受信機１の各種設定等の各種操作を受け付けるものである。リモコン２（日時設定手段の一部、表示制御手段の一部、及び、格納要否判定手段の一部に相当する）は、種々のキーを備え、キーの押下を介してユーザからの操作入力を受け付けて、操作入力に対応する赤外線信号を生成して、デジタル放送受信機１（赤外線通信部１８）に対して出力するものである。
【００２６】
次に、デジタル放送受信機１が放送を受信する場合の動作について説明する。まず、送信されてきたデジタル放送波がアンテナ部１４１で受信される。リモコン２を介して選局操作が受け付けられた場合には、チューナ部１４２によって受信するトランスポンダ（Ｔｒａｎｓｐｏｎｄｅｒ）の切り換えが行われる。受信されたデジタル放送波は、Ａ／Ｄ変換部１４３によりデジタル情報に変換され、復調部１４４によって復調される。
【００２７】
なお、デジタル放送波は、送信側（送信局）からＴＳ（Ｔｒａｎｓｐｏｒｔ  Ｓｔｒｅａｍ）パケットとして送信される。このＴＳパケットは、映像情報、音声情報、制御情報等からなり、これらの情報がＴＳデマルチプレクサ１４５によって、分離して出力され、ＲＡＭ１２に格納される。そして、ＲＡＭ１２から読み出された音声情報がＤ／Ａ変換部１５１によってアナログ信号に変換され、音声信号出力部１５２を介してスピーカ１５３から音声が出力される。
【００２８】
また、ＲＡＭ１２から読み出された映像情報がＭＰＥＧ２デコード部１６によって圧縮前の映像情報に復号化され、ＮＴＳＣエンコード部１７１によってＮＴＳＣ方式のテレビジョン信号に変換されて、映像信号出力部１７２を介してディスプレイ１７３に映像が表示される。
【００２９】
図２は、本発明に係るデジタル放送受信機１における主要部の構成の一例を示すブロック図である。ＭＰＵ１１は、機能的に、日時設定部１１１、チャンネル取得部１１２、識別情報判定部１１３、表示制御部１１４、番組表取得部１１５、格納要否判定部１１６、及び、チャンネル記録部１１７を備え、ＲＡＭ１２は、機能的に、日時記憶部１２１、チャンネル記憶部１２２、及び、番組表記憶部１２３を備えている。
【００３０】
ここでは、ＭＰＵ１１が、図１に示すＲＯＭ１３等に予め格納された制御プログラムを読み出して実行することにより、日時設定部１１１、チャンネル取得部１１２、識別情報判定部１１３、表示制御部１１４、番組表取得部１１５、格納要否判定部１１６、チャンネル記録部１１７等の機能部として機能すると共に、ＲＡＭ１２を、日時記憶部１２１、チャンネル記憶部１２２、番組表記憶部１２３等の機能部として機能させるものである。
【００３１】
また、ＲＡＭ１２、図１に示すＲＯＭ１３に格納された各種データのうち装着脱可能な記録媒体に格納され得るデータは、例えばハードディスクドライブ、光ディスクドライブ、フレキシブルディスクドライブ、シリコンディスクドライブ、カセット媒体読み取り機等のドライバで読み取り可能にしても良く、この場合、記録媒体は、例えばハードディスク、光ディスク、フレキシブルディスク、ＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｋ）、半導体メモリ等である。
【００３２】
日時記憶部１２１は、日時設定部１１１によって設定され、受信可能なサービスに対応するチャンネル識別情報を取得する日時である取得日時情報を格納するものである。日時記憶部１２１に格納された取得日時情報は、チャンネル取得部１１２によって読み出されるものである。
【００３３】
チャンネル記憶部１２２（チャンネル記憶手段に相当する）は、受信部１４を介して受信可能な複数のサービスをそれぞれ識別する情報である複数のチャンネル番号情報（チャンネル識別情報に相当する）を、それぞれ、サービスに対応する（＝サービスを受信する際に受信部１４に対して設定される）周波数帯域情報と対応付けてチャンネルリストとして予め格納するものである。チャンネル記憶部１２２に格納されたチャンネル番号情報は、識別情報判定部１１３によって読み出されるものである。また、チャンネル記憶部１２２に格納されたチャンネル番号情報及び周波数帯域情報は、チャンネル記録部１１７によって記録される（＝書き込まれる）ものである。
【００３４】
番組表記憶部１２３は、番組表取得部１１５によって取得された電子番組表（ＥＰＧ：Ｅｌｅｃｔｒｏｎｉｃ  Ｐｒｏｇｒａｍ  Ｇｕｉｄｅ）情報を格納するものである。番組表記憶部１２３に格納された電子番組表情報は、表示制御部１１４によって読み出されるものである。
【００３５】
日時設定部１１１（日時設定手段の一部に相当する）は、リモコン２を介してユーザからの操作入力を受け付けて、受け付けられた操作入力に基づいて、受信可能なサービスに対応するチャンネル番号情報を取得する日時である取得日時を設定し、設定された取得日時情報を日時記憶部１２１に記録する（＝書き込む）ものである。
【００３６】
チャンネル取得部１１２（チャンネル取得手段に相当する）は、日時設定部１１１によって設定され、日時記憶部１２１に格納された取得日時に、受信部１４を介して受信可能なサービスに対応するチャンネル番号情報を取得するものである。具体的には、チャンネル取得部１１２は、予めＲＡＭ１２等に格納された複数の周波数帯域に、順次、受信部１４のチューナ部１４２を設定し、受信される信号のＢＥＲ（Ｂｉｔ  Ｅｒｒｏｒ  Ｒａｔｅ）が予め設定された所定の閾値（例えば、１０-7）以下である場合に受信可能であると判定し、受信可能なチャンネル番号情報を取得するものである。ここで、予めＲＡＭ１２等に格納された複数の周波数帯域に、順次、受信可能であるか否かを判定する処理を「チャンネルサーチ」という。
【００３７】
識別情報判定部１１３（識別情報判定手段に相当する）は、チャンネル取得部１１２によって取得されたチャンネル番号情報が、チャンネル記憶部１２２に格納された複数のチャンネル番号情報の内、いずれか１のチャンネル番号情報と一致するか否かを判定するものである。
【００３８】
表示制御部１１４（表示制御手段の一部に相当する）は、識別情報判定部１１３によって一致しないと判定された場合に、新たなチャンネル番号情報が取得された旨のメッセージ（ここでは、図４（ａ）に示すメッセージ表示部３０１に「新たなチャンネルが受信可能となりました。６ＣＨ：ＡＢＣ放送」との文字情報）をディスプレイ１７３に表示するものである。
【００３９】
また、表示制御部１１４は、識別情報判定部１１３によって一致しないと判定された場合に、リモコン２を介してユーザからの操作入力を受け付けて、受け付けられた操作入力に基づいて、番組表取得部１１５を介して、チャンネル取得部１１２によって取得されたチャンネル番号情報（ここでは、６ＣＨ）に対応する電子番組表情報を取得させ、取得された電子番組表情報をディスプレイ１７３に表示する（図４（ｂ）参照）ものである。
【００４０】
番組表取得部１１５（番組表取得手段に相当する）は、受信部１４を介して、電子番組表情報を取得し、取得された電子番組表情報を番組表記憶部１２３に記録する（＝書き込む）ものである。ここでは、番組表取得部１１５は、表示制御部１１４からの指示に従って、チャンネル取得部１１２によって取得されたチャンネル番号情報（ここでは、６ＣＨ）に対応する電子番組表情報を取得するものである。
【００４１】
格納要否判定部１１６（格納要否判定手段の一部に相当する）は、識別情報判定部１１３によって一致しないと判定された場合に、リモコン２を介してユーザからの操作入力を受け付けて、受け付けられた操作入力に基づいて、チャンネル取得部１１２によって取得されたチャンネル番号情報を、チャンネル記憶部１２２に格納するか否か（＝チャンネルリストに追加するか否か）を判定するものである。
【００４２】
ここでは、格納要否判定部１１６は、図４（ａ）に示すチャンネル追加確認画面３００に表示された追加ボタン３０３及びキャンセルボタン３０４、及び、図４（ｂ）に示す番組表表示画面３１０に表示された追加ボタン３１４及びキャンセルボタン３１５、を介して、ユーザからの操作入力を受け付けるものである。すなわち、格納要否判定部１１６は、図４（ａ）に示すチャンネル追加確認画面３００に表示された追加ボタン３０３又は図４（ｂ）に示す番組表表示画面３１０に表示された追加ボタン３１４が押下された場合には、チャンネル記憶部１２２に格納すると判定し、図４（ａ）に示すチャンネル追加確認画面３００に表示されたキャンセルボタン３０４又は図４（ｂ）に示す番組表表示画面３１０に表示されたキャンセルボタン３１５が押下された場合には、チャンネル記憶部１２２に格納しないと判定するものである。
【００４３】
チャンネル記録部１１７（チャンネル記録手段に相当する）は、格納要否判定部１１６によって格納すると判定された場合に、チャンネル取得部１１２によって取得されたチャンネル番号情報を、対応する周波数帯域情報と対応付けて、チャンネル記憶部１２２に記録する（＝チャンネルリストに追加する）ものである。
【００４４】
図３は、デジタル放送受信機１（主にＭＰＵ１１）の動作の一例を示すフローチャートである。ここでは、便宜上、チャンネル記憶部１２２に、複数のチャンネル番号情報が、それぞれ、対応する周波数帯域情報と対応付けてチャンネルリストとして予め格納されており、日時設定部１１１によって、取得日時が設定され、設定された取得日時情報が日時記憶部１２１に格納されている場合について説明する。まず、チャンネル取得部１１２によって、日時記憶部１２１に格納された取得日時に到達したか否かの判定が行われる（Ｓ１０１）。取得日時に到達していないと判定された場合（Ｓ１０１でＮＯ）には、処理が待機状態とされる。
【００４５】
取得日時に到達したと判定された場合（Ｓ１０１でＹＥＳ）には、チャンネル取得部１１２によって、受信可能なチャンネル番号情報が取得される（Ｓ１０３）。そして、識別情報判定部１１３によって、ステップＳ１０３において取得されたチャンネル番号情報と一致するチャンネル番号情報がチャンネル記憶部１２２に格納されているか否かの判定が行われる（Ｓ１０５）。一致するチャンネル番号情報がチャンネル記憶部１２２に格納されていないと判定された場合（Ｓ１０５でＮＯ）には、処理がステップＳ１０９に進められる。
【００４６】
一致するチャンネル番号情報がチャンネル記憶部１２２に格納されていると判定された場合（Ｓ１０５でＹＥＳ）には、チャンネル取得部１１２によって、チャンネルサーチが完了したか否かの判定が行われる（Ｓ１０７）。チャンネルサーチが完了したと判定された場合（Ｓ１０７でＹＥＳ）には、処理がステップＳ１０１に戻され、ステップＳ１０１以降の処理が繰り返し実行される。チャンネルサーチが完了していないと判定された場合（Ｓ１０７でＮＯ）には、処理がステップＳ１０３に戻され、ステップＳ１０３以降の処理が繰り返し実行される。
【００４７】
ステップＳ１０５でＮＯの場合には、表示制御部１１４によって、新たなチャンネル番号情報が取得された旨のメッセージ（図４（ａ）参照）がディスプレイ１７３に表示される（Ｓ１０９）。そして、表示制御部１１４によって、電子番組表情報を表示する旨の操作入力が受け付けられたか否かの判定が行われる（Ｓ１１１）。電子番組表情報を表示する旨の操作入力が受け付けられていないと判定された場合（Ｓ１１１でＮＯ）には、処理がステップＳ１１７に進められる。電子番組表情報を表示する旨の操作入力が受け付けられたと判定された場合（Ｓ１１１でＹＥＳ）には、番組表取得部１１５によって、ステップＳ１０３において取得されたチャンネル番号情報に対応する電子番組表情報が取得される（Ｓ１１３）。そして、表示制御部１１４によって、ステップＳ１１３において取得された電子番組表情報（図４（ｂ）参照）がディスプレイ１７３に表示される（Ｓ１１５）。
【００４８】
ステップＳ１１１でＮＯの場合、及び、ステップＳ１１５の処理が終了した場合には、格納要否判定部１１６によって、ステップＳ１０３において取得されたチャンネル番号情報をチャンネルリストに追加するか否かの判定が行われる（Ｓ１１７）。チャンネルリストに追加しないと判定された場合（Ｓ１１７でＮＯ）には、処理がステップＳ１０１に戻され、ステップＳ１０１以降の処理が繰り返し実行される。チャンネルリストに追加すると判定された場合（Ｓ１１７でＹＥＳ）には、チャンネル記録部１１７によって、ステップＳ１０３において取得されたチャンネル番号情報がチャンネル記憶部１２２に記録され（＝チャンネルリストに追加され）（Ｓ１１９）、処理がステップＳ１０１に戻され、ステップＳ１０１以降の処理が繰り返し実行される。
【００４９】
図４（ａ）、（ｂ）は、それぞれ、図３に示すステップＳ１０９及びステップＳ１１５においてディスプレイ１７３に表示されるチャンネル追加確認画面３００及び番組表表示画面３１０の一例を示す画面図である。図４（ａ）に示すように、チャンネル追加確認画面３００には、画面上部に、メッセージ表示部３０１が表示され、その下側に、番組表表示ボタン３０２が表示され、更にその下側に、追加ボタン３０３、及び、キャンセルボタン３０４が表示されている。
【００５０】
メッセージ表示部３０１は、新たなチャンネル番号情報が取得された旨のメッセージ（ここでは、「新たなチャンネルが受信可能となりました。６ＣＨ：ＡＢＣ放送」との文字情報）をディスプレイ１７３に表示するものである。番組表表示ボタン３０２は、チャンネル取得部１１２によって取得されたチャンネル番号情報（ここでは、６ＣＨ）に対応する電子番組表情報を表示する場合に押下されるボタンであって、このボタンが押下された場合には、図４（ｂ）に示す番組表表示画面３１０がディスプレイ１７３に表示される。
【００５１】
追加ボタン３０３は、チャンネル取得部１１２によって取得されたチャンネル番号情報（ここでは、６ＣＨ）をチャンネルリストに追加する場合に押下されるボタンである。キャンセルボタン３０４は、チャンネル取得部１１２によって取得されたチャンネル番号情報（ここでは、６ＣＨ）をチャンネルリストに追加しない場合に押下されるボタンである。
【００５２】
図４（ｂ）に示すように、番組表表示画面３１０には、画面略中央部に、番組表表示部３１１が表示され、その左側に、時刻表示部３１２が表示され、画面下部に、日付表示部３１３が表示され、その下側に、追加ボタン３１４、及び、キャンセルボタン３１５が表示されている。番組表表示部３１１は、チャンネル取得部１１２によって取得されたチャンネル番号情報（ここでは、６ＣＨ）に対応する電子番組表情報を表示するものである。
【００５３】
時刻表示部３１２は、番組表表示部３１１に対応する時間軸（ここでは、上端が午後１０時、下端が午前２時）を表示するものである。日付表示部３１３は、番組表表示部３１１に表示されている番組表の日付情報を表示するものである。追加ボタン３１４は、チャンネル取得部１１２によって取得されたチャンネル番号情報（ここでは、６ＣＨ）をチャンネルリストに追加する場合に押下されるボタンである。キャンセルボタン３１５は、チャンネル取得部１１２によって取得されたチャンネル番号情報（ここでは、６ＣＨ）をチャンネルリストに追加しない場合に押下されるボタンである。
【００５４】
なお、ここでは、ディスプレイ１７３に表示されたボタン（例えば、図４（ａ）に示す番組表表示ボタン３０２、追加ボタン３０３、キャンセルボタン３０４等）を「押下する」とは、リモコン２に配設された方向キー等の押下によって選択状態とされ、リモコン２に配設された決定キー（又は、エンターキー）等の押下が受け付けられることを意味している。
【００５５】
このようにして、予め設定された周波数帯域のデジタル方式のテレビジョン放送を受信する受信部１４を介して、受信可能な複数のサービスをそれぞれ識別する情報である複数のチャンネル番号情報が、それぞれ、サービスに対応する周波数帯域情報と対応付けてチャンネルリストとしてチャンネル記憶部１２２に予め格納されており、予め設定された所定時間毎に、受信部１４を介して受信可能なサービスに対応するチャンネル番号情報が取得される。そして、取得されたチャンネル番号情報が、チャンネル記憶部１２２に格納された複数のチャンネル番号情報の内、いずれか１のチャンネル番号情報と一致するか否かが判定され、一致しないと判定された場合に、リモコン２を介してユーザからの操作入力が受け付けられて、受け付けられた操作入力に基づいて、取得されたチャンネル番号情報をチャンネル記憶部１２２に格納するか否かが判定され、格納すると判定された場合に、取得されたチャンネル番号情報が、チャンネル記憶部１２２に記録されるため、利便性良好にチャンネルマップに新たなチャンネルを追加することができる。
【００５６】
すなわち、受信可能なサービスに対応するチャンネル番号情報が取得され、取得されたチャンネル番号情報が、チャンネル記憶部１２２に格納された複数のチャンネル番号情報の内、全てのチャンネル番号情報と一致しないと判定された場合に、リモコン２を介してユーザからの操作入力が受け付けられて、受け付けられた操作入力に基づいて、取得されたチャンネル番号情報をチャンネル記憶部１２２に格納するか否かが判定され、格納すると判定された場合に、取得されたチャンネル番号情報が、チャンネル記憶部１２２に記録されるため、取得されたチャンネル番号情報の追加をユーザが所望しない場合には、その旨の操作入力を行うことによって、取得されたチャンネル番号情報の追加が禁止されるので、利便性良好にチャンネルマップに新たなチャンネルを追加することができるのである。
【００５７】
また、リモコン２を介してユーザからの操作入力が受け付けられて、受け付けられた操作入力に基づいて、受信可能なサービスに対応するチャンネル番号情報を取得する日時が設定され、設定された日時に、受信可能なサービスに対応するチャンネル番号情報が取得されるため、更に利便性良好にチャンネルマップに新たなチャンネルを追加することができる。
【００５８】
すなわち、リモコン２を介してユーザからの操作入力が受け付けられて、受け付けられた操作入力に基づいて、受信可能なサービスに対応するチャンネル番号情報を取得する日時が設定され、設定された日時に、受信可能なサービスに対応するチャンネル番号情報が取得されるため、ユーザがサービスの視聴を行わない時間帯（例えば、深夜）に含まれる日時（例えば、午前３時）を、チャンネル番号情報を取得する日時として設定することによって、サービスの視聴が制限されることがないので、更に利便性良好にチャンネルマップに新たなチャンネルを追加することができるのである。
【００５９】
更に、取得されたチャンネル番号情報が、チャンネル記憶部１２２に格納された複数のチャンネル番号情報の内、全てのチャンネル番号情報と一致しないと判定された場合に、新たなチャンネル番号情報が取得された旨のメッセージがディスプレイ１７３に表示される（図４（ａ）参照）ため、ユーザは、新たなチャンネル番号情報が取得されたことを視認することができるので、更に利便性良好にチャンネルマップに新たなチャンネルを追加することができる。
【００６０】
加えて、取得されたチャンネル番号情報が、チャンネル記憶部１２２に格納された複数のチャンネル番号情報の内、全てのチャンネル番号情報と一致しないと判定された場合に、リモコン２を介してユーザからの操作入力が受け付けられて、受け付けられた操作入力に基づいて、取得されたチャンネル番号情報に対応する電子番組表情報が取得され、取得された電子番組表情報がディスプレイ１７３に表示される（図４（ｂ）参照）ため、更に利便性良好にチャンネルマップに新たなチャンネルを追加することができる。
【００６１】
すなわち、取得されたチャンネル番号情報が、チャンネル記憶部１２２に格納された複数のチャンネル番号情報の内、全てのチャンネル番号情報と一致しないと判定された場合に、リモコン２を介してユーザからの操作入力が受け付けられて、受け付けられた操作入力に基づいて、取得されたチャンネル番号情報に対応する電子番組表情報が取得され、取得された電子番組表情報がディスプレイ１７３に表示される（図４（ｂ）参照）ため、取得されたチャンネル番号情報に対応するチャンネルにおいて放送されるサービスの内容を、ディスプレイ１７３に表示された電子番組表情報を介して視認することができるので、ユーザが、取得されたチャンネル番号情報を追加するか否かの判断を容易に行うことができ、更に利便性良好にチャンネルマップに新たなチャンネルを追加することができるのである。
【００６２】
なお、本発明は、以下の形態にも適用可能である。
（Ａ）本実施形態では、デジタル放送受信装置が、デジタル放送を受信するデジタル放送受信機１である場合について説明したが、デジタル放送受信装置が、デジタル放送及びアナログ放送を受信する形態でも良い。
【００６３】
（Ｂ）本実施形態では、ＭＰＵ１１が、日時設定部１１１、チャンネル取得部１１２、識別情報判定部１１３、表示制御部１１４、番組表取得部１１５、格納要否判定部１１６、チャンネル記録部１１７等の機能部を備える場合について説明したが、日時設定部１１１、チャンネル取得部１１２、識別情報判定部１１３、表示制御部１１４、番組表取得部１１５、格納要否判定部１１６、及び、チャンネル記録部１１７の内、少なくとも１の機能部が、回路等のハードウェアによって実現されている形態でも良い。
【００６４】
（Ｃ）本実施形態では、モニタが、デジタル放送受信機１に配設されたディスプレイ１７３である場合について説明したが、モニタが、デジタル放送受信機１とは別の装置として構成されている形態でも良い。例えば、モニタが、パーソナルコンピュータ等に配設されたモニタである形態でも良い。
【００６５】
（Ｄ）本実施形態では、表示制御部１１４が、識別情報判定部１１３によって一致しないと判定された場合に、図４（ａ）に示すチャンネル追加確認画面３００をディスプレイ１７３に表示する場合について説明したが、格納要否判定部１１６によって、チャンネル記憶部１２２に格納しないと判定された場合には、そのチャンネル番号情報が識別情報判定部１１３によって一致しないと判定された場合であっても、チャンネル追加確認画面３００をディスプレイ１７３に表示しない形態でも良い。
【００６６】
すなわち、ＲＡＭ１２等に、格納要否判定部１１６によってチャンネル記憶部１２２に格納しないと判定されたチャンネル番号情報を、チャンネルリストに追加しないチャンネル番号情報である追加禁止チャンネル番号情報として格納しておき、識別情報判定部１１３によって一致しないと判定された場合に、チャンネル取得部１１２によって取得されたチャンネル番号情報が、ＲＡＭ１２等に格納された追加禁止チャンネル番号情報のいずれかと一致するか否かを判定し、一致すると判定された場合には、チャンネル追加確認画面３００をディスプレイ１７３に表示しない形態である。
【００６７】
この場合には、識別情報判定部１１３によって一致しないと判定された場合であっても、一旦、チャンネルリストに追加しないと判定したチャンネル番号情報については、再度、チャンネル追加確認画面３００がディスプレイ１７３に表示されることがないため、更に利便性を向上することができる。
【図面の簡単な説明】
【００６８】
【図１】は、本発明に係るデジタル放送受信機の構成の一例を示すブロック図である。
【図２】は、本発明に係るデジタル放送受信機における主要部の構成の一例を示すブロック図である。
【図３】は、デジタル放送受信機（主にＭＰＵ）の動作の一例を示すフローチャートである。
【図４】は、図３に示すステップＳ１０９及びステップＳ１１５においてディスプレイに表示されるチャンネル追加確認画面及び番組表表示画面の一例を示す画面図である。
【符号の説明】
【００６９】
１    デジタル放送受信機（デジタル放送受信装置）
１１    ＭＰＵ
１１１    日時設定部（日時設定手段の一部）
１１２    チャンネル取得部（チャンネル取得手段）
１１３    識別情報判定部（識別情報判定手段）
１１４    表示制御部（表示制御手段の一部）
１１５    番組表取得部（番組表取得手段）
１１６    格納要否判定部（格納要否判定手段の一部）
１１７    チャンネル記録部（チャンネル記録手段）
１２    ＲＡＭ
１２１    日時記憶部
１２２    チャンネル記憶部（チャンネル記憶手段）
１２３    番組表記憶部
１４    受信部（受信手段）
１７    画像出力部
１７３    ディスプレイ（モニタ）
２    リモコン（日時設定手段の一部、表示制御手段の一部、及び、格納要否判定手段の一部）
【図１】
2009118307.tif 000003
【図２】
2009118307.tif 000004
【図３】
2009118307.tif 000005
【図４】
2009118307.tif 000006